(57)【要約】      （修正有）【課題】犬などを家の中に置きっ放しにして外出する時にも火災の心配がなく安全に使用でき、維持コストもかからない実用的なペット用の暖房器を提供する。【解決手段】湯たんぽ収容用凹窪部２を形成した器体３と、湯たんぽ収容用凹窪部２に収容される湯たんぽ４と、湯たんぽ４が収容された湯たんぽ収容用凹窪部２に嵌合され、多数の通気孔５ａを形成した中蓋５と、湯たんぽ収容用凹窪部２に中蓋５が嵌合された器体３の上面に載置される座枠６と、器体３及びこれの上面に載置された座枠６を被包する袋状カバー８とからなり、湯たんぽ収容用凹窪部２に湯たんぽ４を収容し、中蓋５を嵌合し、その上に座枠６を載置して袋状カバー８で被包した器体３の上面側にペットを座らせて暖をとらせるようにする。【選択図】図２
0003105837.tif 000002
【実用新案登録請求の範囲】
【請求項１】
上面側に湯たんぽ収容用凹窪部を形成した合成樹脂の発泡体からなる器体と、器体の湯たんぽ収容用凹窪部に収容される湯たんぽと、湯たんぽが収容された湯たんぽ収容用凹窪部に嵌合され、多数の通気孔を形成した合成樹脂の発泡体からなる中蓋と、中蓋が嵌合された器体の上面に載置される座枠と、器体及びこれの上面に載置された座枠を被包する袋状カバーとからなり、湯たんぽ収容用凹窪部に湯たんぽを収容し、中蓋を嵌合し、その上に座枠を載置して袋状カバーで被包した器体の上面側にペットを座らせて暖をとらせるようにしたペット用暖房器。
【請求項２】
中蓋を嵌合した器体の上面側に、器体の一側端部に折曲自在に取り付けた上蓋を被せるようにした請求項に記載のペット用暖房器。
【請求項３】
器体は、夫々合成樹脂の発泡体によって形成された矩形枠状の周側壁部と底壁部とからなり、周側壁部及び底壁部は夫々壁部カバーによって被包されている請求項１に記載のペット用暖房器。
【請求項４】
上蓋は、合成樹脂の発泡体からなる芯材を芯材カバーによって被包したものからなり、芯材カバーの一側端部が器体の一側端部に取り付けられている請求項２に記載のペット用暖房器。
【請求項５】
座枠は、金属線材によって網状又は格子状に形成されたものからなる請求項１〜４の何れかに記載のペット用暖房器。
【請求項６】
袋状カバーは、器体の外周面側及び底面側を被う本体カバー部と、器体の上面に載置される座枠を被う上面カバー部とからなり、本体カバー部と上面カバー部とは、スライドファスナーによって開閉自在に接合されるようになっている請求項１〜５の何れかに記載のペット用暖房器。
【考案の詳細な説明】
【技術分野】
【０００１】
本考案は、犬や猫などのペットのための暖房器に関するものである。
【背景技術】
【０００２】
飼主がペットとして飼っている犬を家の中に置きっ放しにしたまま外出するような時、冬場であれば室内も寒いため暖房を必要とするが、電気やガス等の各種ストーブをつけたままにしておくのでは火災の心配があるので、ストーブを切って外出しなければならず、そうすると犬に寒い思いをさせることになり、飼主にとって非常に辛いものである。
【考案の開示】
【考案が解決しようとする課題】
【０００３】
然るに、従来は、犬などのペット用の暖房器として、安全で実用的なものがなかった。そこで、本考案は、犬などを家の中に置きっ放しにして外出する時にも火災等の心配がなく安全に使用でき、しかも維持コストがかからない実用的なペット用の暖房器を提供することを目的とする。
【課題を解決するための手段】
【０００４】
上記課題を解決するための手段を、後述する実施形態の参照符号を付して説明すると、請求項１に係る考案のペット用暖房器は、上面側に湯たんぽ収容用凹窪部２を形成した合成樹脂の発泡体からなる器体３と、器体３の湯たんぽ収容用凹窪部２に収容される湯たんぽ４と、湯たんぽ４が収容された湯たんぽ収容用凹窪部２に嵌合され、多数の通気孔５ａを形成した合成樹脂の発泡体からなる中蓋５と、中蓋５が嵌合された器体３の上面に載置される座枠６と、器体３及びこれの上面に載置された座枠６を被包する袋状カバー８とからなり、湯たんぽ収容用凹窪部２に湯たんぽ４を収容し、中蓋５を嵌合し、その上に座枠６を載置して袋状カバー８で被包した器体３の上面側にペットＰを座らせて暖をとらせるようにしたことを特徴とする。
【０００５】
請求項２は、請求項１に記載のペット用暖房器において、中蓋５を嵌合した器体３の上面側に、器体３の一側端部に折曲自在に取り付けた上蓋７を被せるようにしたことを特徴とする。
【０００６】
請求項３は、請求項１に記載のペット用暖房器において、器体３は、夫々合成樹脂の発泡体によって形成された矩形枠状の周側壁部９ａと底壁部１０ａとからなり、周側壁部９ａ及び底壁部１０ａは夫々壁部カバー９ｂ，１０ｂによって被包されていることを特徴とする。
【０００７】
請求項４は、請求項２に記載のペット用暖房器において、上蓋７は、合成樹脂の発泡体からなる芯材７ａを芯材カバー７ｂによって被包したものからなり、芯材カバー７ｂの一側端部が器体３の一側端部に取り付けられていることを特徴とする。
【０００８】
請求項５は、請求項１〜４の何れかに記載のペット用暖房器において、座枠６は金属線材によって網状又は格子状に形成されたものからなることを特徴とする。
【０００９】
請求項６は、請求項１〜５の何れかに記載のペット用暖房器において、袋状カバー８は、器体の外周面側及び底面側を被う本体カバー部１３と、器体３の上面に載置される座枠６を被う上面カバー部１４とからなり、本体カバー部１３と上面カバー部１４とは、スライドファスナー１５によって開閉自在に接合されるようになっていることを特徴としている。
【考案の効果】
【００１０】
上記解決手段による発明の効果を、後述する実施形態の参照符号を付して説明すると、請求項１に係る考案のによれば、熱源が湯たんぽ４であって、湯たんぽ４を器体３の湯たんぽ収容用凹窪部２の中に収容して、中蓋５を嵌め、その上に座枠６を載置して、これらを袋状カバー８で被包しているから、犬Ｐが直接湯たんぽ４に触れたり、湯たんぽ４の口を開けるおそれがない上に、石油ストーブやガスストーブや電気ストーブのように火災を起こすおそれも全くなく、使用上きわめて安全である。従って、飼主が犬Ｐを家の中に置きっ放しにしたまま外出しても、何の心配もなく、犬Ｐに暖をとらせることができる。また熱源が湯たんぽ４であるため、石油ストーブ、ガスストーブ、電気ストーブ等のようにコストがかからず、きわめて経済的で実用的な暖房器と言える。
【００１１】
請求項２に係る考案のように、中蓋５を嵌合した器体３の上面側に、器体３の一側端部に折曲自在に取り付けた上蓋７を被せるようにすれば、器体３の上面側に犬などのペットが乗っても、中蓋５が沈んだり、変形するようなことがなく、器体３の上面側が安定した平面状となり、ペットも安心して座ることができるようになる。この場合、座枠６は、器体３上面に被せた上蓋７の上に載置されるから、器体３の上面側に安定状態で載置され、使用中にガタつくようなことがない。
【００１２】
請求項３に係る考案によれば、器体３は、夫々合成樹脂の発泡体によって形成された矩形枠状の周側壁部９ａと底壁部１０ａとから断熱構造であって、この器体３の凹窪部２内に収容された湯たんぽ４の熱は、器体３の周囲には放出されず、中蓋５の通気孔５ａを通じて上方へのみ放出され、器体３の上面側を有効に温めるから、この熱によって器体３の上側に座る犬Ｐに長時間に亘り暖をとらせることができる。また、周側壁部９ａ及び底壁部１０ａは夫々壁部カバー９ｂ，１０ｂによって被包されているから、外観上の体裁が良い上に、合成樹脂発泡体が破損し難く、長く使用できる。
【００１３】
請求項４に係る考案によれば、上蓋７は、合成樹脂の発泡体からなる芯材７ａを芯材カバー７ｂで被包にされているから、上蓋７の上に載る座枠６が一層安定するとともに、クッション効果によってペットの座り心地がよくなり、また合成樹脂発泡体が破損し難く、長く使用できる。また上蓋７は芯材カバー７ｂの一側端部が器体３の一側端部に取り付けられるから、開閉操作が容易となる。
【００１４】
請求項５に係る考案のように、座枠６を金属線材により網状又は格子状に形成すれば、製作が容易となり、安価に提供できる上に、十分な強度をもたせることができる。
【００１５】
請求項５に係る考案によれば、袋状カバー８は、本体カバー部１３と、器体３の上面に載置される座枠６を被う上面カバー部１４とからなるもので、本体カバー部１３と上面カバー部１４とはスライドファスナー１５によって開閉自在に接合されるから、袋状カバー８の開閉操作が簡単で、湯たんぽ４の出し入れも容易となる。
【考案を実施するための最良の形態】
【００１６】
以下に本考案の好適実施形態を図面に基づいて説明すると、図１は本考案に係るペット用暖房器１の使用状態を示す外観斜視図であり、図２は同暖房器１の分解斜視図であり、図３は湯たんぽ４全体の外観斜視図であり、図４は袋状カバー８の斜視図である。また、図５の(a) は同暖房器１の横断面図、(b) は同暖房器１の縦断面図、袋状カバー８の部分断面図、(d) は同暖房器１の一部拡大断面図である。
【００１７】
これらの図面を参照して、ペット用暖房器１は、上面側に湯たんぽ収容用凹窪部２を形成した合成樹脂の発泡体からなる器体３と、この器体３の湯たんぽ収容用凹窪部２に収容される湯たんぽ４と、この湯たんぽ４が収容された湯たんぽ収容用凹窪部２に嵌合され、多数の通気孔５ａを形成した合成樹脂の発泡体からなる中蓋５と、器体３の一側端部に折曲自在に取り付けられていて、中蓋５を嵌めた器体３の上面に載置される上蓋７と、この上蓋７の上に載置される座枠６と、器体３及び上蓋７に載置された座枠６を被包する袋状カバー８とからなり、しかして湯たんぽ収容用凹窪部２に湯たんぽ４を収容し、中蓋５を嵌合し、その上に上蓋７を被せ、さらにその上に座枠６を載置して、その全体を袋状カバー８で被包したものの上面側に、図１に示すようにペットとしての犬Ｐを座らせて暖をとらせるようにしたものである。
【００１８】
上記ペット用暖房器１の構造についてさらに詳細に説明すれば、器体３は、図５に示すように、夫々合成樹脂の発泡体（スポンジ）によって形成された矩形枠状の周側壁部９ａと底壁部１０ａとからなり、周側壁部９ａ及び底壁部１０ａは夫々布地からなる壁部カバー９ｂ，１０ｂによって被包されている。尚、周側壁部９ａと底壁部１０ａとは、その壁部カバー９ｂ，１０ｂどうしが例えば接着剤により接合されて一体的に連結されている。また器体３の周側壁部９ａは、比較的硬い樹脂発泡体によって形成されると共に、上面側に荷重がかかっても不都合に屈曲しないように十分に厚く形成されている。
【００１９】
中蓋５は、図５に示すように、器体３と同様な合成樹脂の発泡体によって板状に形成されたもので、この中蓋５には、湯たんぽ収容用凹窪部２内に収容された湯たんぽ４の熱気を上方へ有効に送り出すための通気孔５ａが多数貫設されている。
【００２０】
また図５に示すように、上蓋７は、器体３と同様な合成樹脂の発泡体からなる芯材７ａを、布地からなる芯材カバー７ｂによって被包したものからなり、図５の(d) から分かるように、芯材カバー７ｂの一側端部７ｏが、器体３の周側壁部９ａを被包する壁部カバー９ｂに縫い付けられて取り付けられている。
【００２１】
図２に示すように、上蓋７の裏面側先端部位と、この先端部位に対応する器体３の上面所要部位とには、上蓋７を図５の(a) 及び(b) に示すような閉じ位置に固定するための、互いに係止可能な係止布  １１，１２が装着されている。この係止布  １１，１２は、一般にはマジックテープ（登録商標）と呼ばれている。
【００２２】
座枠６は、中蓋５を含む器体３の上面を被う上蓋７の上に載置される（上蓋７を設けない場合は、中蓋５を含む器体３の上面に直接載置される）もので、番線等の太い金属線材で矩形状に形成された周枠材６ａと、この周枠材６ａに縦横に格子組みされた、比較的細い格子材６ｂとからなる。尚、この実施形態では、格子状に形成された座枠６を例示しているが、網状に形成されたものでもよい。
【００２３】
袋状カバー８は、図４及び図５に示すように、器体３の外周面側及び底面側を被う本体カバー部１３と、器体３の上面に載置される座枠６を被う上面カバー部１４とからなり、本体カバー部１３と上面カバー部１４とは、スライドファスナー１５によって開閉自在に接合されるようになっている。本体カバー部１３と上面カバー部１４とは、夫々全周に亘ってスライドファスナー１５で接合されてはおらず、上面カバー部１４の後端部分が本体カバー部１３の後端部分に一体的に縫着されている（図５の(d) 参照）。
【００２４】
本体カバー部１３及び上面カバー部１４は夫々布地で形成されるもので、図５の(c) から分かるように、本体カバー部１３の周縁部に沿ってスライドファスナー１５の一方のテープ１６Ａが縫着され、このテープ１６Ａには務歯１７Ａが形成されており、また上面カバー部１４の周縁部に沿ってスライドファスナー１５の一方のテープ１６Ｂが縫着され、このテープ１６Ｂには務歯１７Ｂが形成されている。しかして、本体カバー部１３側のテープ１６Ａに形成された務歯１７Ａと、上面カバー部１４側のテープ１６Ｂに形成された務歯１７Ｂとが、スライダー１８（図４参照）により噛合して、本体カバー部１３と上面カバー部１４とが開閉自在に接合される。
【００２５】
尚、袋状カバー８は汚れ易いので、本体カバー部１３及び上面カバー部１４は、洗濯のし易い布生地で形成されるのがよい。また図４から分かるように、この実施形態では、袋状カバー８の本体カバー部１３と上面カバー部１４と一体に連設しているが、特に汚れ易い上面カバー部１４を本体カバー部１３と切り離しできるように別体に形成してもよく、そうすれば上面カバー部１４のみを洗濯することができる。
【００２６】
上記のように構成されるペット用暖房器１の使用にあたっては、熱湯の入った湯たんぽ４を器体３の湯たんぽ収容用凹窪部２内に収容し、この凹窪部２に中蓋５を嵌めた後、この中蓋５の上面を含む器体３の上面側に上蓋７を被せ、この上蓋７の上に座枠６を載せ、そしてこれらを袋状カバー８で被包する。
【００２７】
こうして湯たんぽ収容用凹窪部２内に湯たんぽ４を収容し、中蓋５を嵌め、さらに上蓋７を載せ、その上に座枠６を載せて、袋状カバー８で被包した器体３の上面側に、図１に示すようにペットとしての犬Ｐを座らせることによって、犬Ｐは、湯たんぽ４の熱で暖をとることができる。
【００２８】
以上説明したようなペット用暖房器１によれば、熱源が湯たんぽ４であって、湯たんぽ４を器体３の湯たんぽ収容用凹窪部２の中に収容して、中蓋５を嵌め、さらに上蓋７を被せ、その上に座枠６を載置して、これらをを袋状カバー８で包んでいるから、犬Ｐが直接湯たんぽ４に触れたり、湯たんぽ４の口を開けるようなおそれがなく、また石油ストーブやガスストーブや電気ストーブのように火災を起こすおそれも全くなく、使用上きわめて安全となり、従って飼主が犬Ｐを家の中に置きっ放しにしたまま外出しても、何の心配もなく、犬Ｐに暖をとらせることができる。また熱源が湯たんぽ４であることから、石油ストーブ、ガスストーブ、電気ストーブなどのように維持コストがかからず、きわめて経済的で実用的な暖房器と言える。
【００２９】
このペット用暖房器１において、合成樹脂の発泡体からなる器体３の湯たんぽ収容用凹窪部２内に収容された湯たんぽ４の熱は、器体３の周囲には放出されず、中蓋５の通気孔５ａを通じて上方へのみ放出されて、上蓋７を有効に温めると共に、袋状カバー８の上面カバー部１４を有効に温めるから、この熱によって上面カバー部１４の上に座る犬Ｐに暖をとらせることができる。
【００３０】
また器体３は、合成樹脂の発泡体によって形成されるから、安価に製作できると共に、軽量で持ち運びに便利となる。
【００３１】
また、中蓋５が嵌合された器体３の上面に座枠６が載置されるようになっているから、器体３の上面側に犬などのペットが乗っても、中蓋５が沈んだり、変形するようなことがなく、器体３の上面側が安定した平面状となり、ペットも安心して座ることができるようになる。また座枠６は、器体３の上面に被せた上蓋７の上に載置されるから、器体３の上面側に安定状態で載置され、使用中にガタつくようなことがない。そして、上蓋７は、合成樹脂の発泡体からなる芯材７ａを芯材カバー７ｂによって被包したものからなるため、座枠６が一層安定するとともに、クッション効果によってペットの座り心地がよくなる。また上蓋７は芯材カバー７ｂの一側端部が器体３の一側端部に取り付けられているから、開閉操作が容易となる。
【００３２】
座枠６は、金属線材以外のものによって形成してもよいが、金属線材によって網状又は格子状に形成すれば、製作が容易となり、安価に提供できる上に、十分な強度をもたせることができる。
【００３３】
また、袋状カバー８は、本体カバー部１３と、器体３の上面に載置される座枠６を被う上面カバー部１４とからなり、本体カバー部１３と上面カバー部１４とは、スライドファスナー１５で開閉自在に接合されるようになっているから、袋状カバー８の開閉操作が簡単で、湯たんぽ４の出し入れも容易となる。
【図面の簡単な説明】
【００３４】
【図１】本考案に係るペット用暖房器の使用状態を示す外観斜視図である。
【図２】同暖房器の分解斜視図である。
【図３】湯たんぽ全体の外観斜視図である。
【図４】袋状カバーの斜視図である。
【図５】(a) は同暖房器の横断面図、(b) は同暖房器の縦断面図、(c) は袋状カバーの部分断面図、(d) は同暖房器の一部拡大断面図である。
【符号の説明】
【００３５】
１            ペット用暖房器
２            湯たんぽ収容用凹窪部
３            器体
４            湯たんぽ
５            通気孔
６            座枠
７            上蓋
８            袋状カバー
【図１】
0003105837.tif 000003
【図２】
0003105837.tif 000004
【図３】
0003105837.tif 000005
【図４】
0003105837.tif 000006
【図５】
0003105837.tif 000007
【手続補正書】
【提出日】平成16年6月11日(2004.6.11)
【手続補正１】
【補正対象書類名】実用新案登録請求の範囲
【補正対象項目名】全文
【補正方法】変更
【補正の内容】
【実用新案登録請求の範囲】
【請求項１】
上面側に湯たんぽ収容用凹窪部を形成した合成樹脂の発泡体からなる器体と、器体の湯たんぽ収容用凹窪部に収容される湯たんぽと、湯たんぽが収容された湯たんぽ収容用凹窪部に嵌合され、多数の通気孔を形成した合成樹脂の発泡体からなる中蓋と、中蓋が嵌合された器体の上面に載置される座枠と、器体及びこれの上面に載置された座枠を被包する袋状カバーとからなり、湯たんぽ収容用凹窪部に湯たんぽを収容し、中蓋を嵌合し、その上に座枠を載置して袋状カバーで被包した器体の上面側にペットを座らせて暖をとらせるようにしたペット用暖房器。
【請求項２】
中蓋を嵌合した器体の上面側に、器体の一側端部に折曲自在に取り付けた上蓋を被せるようにした請求項１に記載のペット用暖房器。
【請求項３】
器体は、夫々合成樹脂の発泡体によって形成された矩形枠状の周側壁部と底壁部とからなり、周側壁部及び底壁部は夫々壁部カバーによって被包されている請求項１に記載のペット用暖房器。
【請求項４】
上蓋は、合成樹脂の発泡体からなる芯材を芯材カバーによって被包したものからなり、芯材カバーの一側端部が器体の一側端部に取り付けられている請求項２に記載のペット用暖房器。
【請求項５】
座枠は、金属線材によって網状又は格子状に形成されたものからなる請求項１〜４の何れかに記載のペット用暖房器。
【請求項６】
袋状カバーは、器体の外周面側及び底面側を被う本体カバー部と、器体の上面に載置される座枠を被う上面カバー部とからなり、本体カバー部と上面カバー部とは、スライドファスナーによって開閉自在に接合されるようになっている請求項１〜５の何れかに記載のペット用暖房器。